(57)【要約】【課題】ドア本体に対し開閉操作装置を抜け出し不能に取付けることができるとともに、見栄えのよい薄いドアを提供する。【解決手段】板状のドア本体１０と、ドア本体１０の側縁部に板厚方向に狭持して取付けられる一対の外装部材１５，１６、及び操作によりドア本体１０の側方に係合部１７ａ，１７ｂを進退させる機構部１７を有する開閉操作装置１１と、備えるドア１であって、ドア本体１０は、側方及び板厚方向に開放する切欠部１２を有し、一対の外装部材１５，１６は、切欠部１２を介して互いに接続され、機構部１７は、一対の外装部材１５，１６の間に固定されており、開閉操作装置１１には係止部２７，２８が設けられるとともに、切欠部１２には開閉操作装置１１の側方への移動を規制するように係止部２７，２８が係止される被係止部１３，１４が設けられている。【選択図】図３
2020200697.tif 000002
【特許請求の範囲】
【請求項１】
板状のドア本体と、前記ドア本体の側縁部に板厚方向に狭持して取付けられる一対の外装部材、及び操作により前記ドア本体の側方に係合部を進退させる機構部を有する開閉操作装置と、備えるドアであって、
前記ドア本体は、側方及び板厚方向に開放する切欠部を有し、前記一対の外装部材は、前記切欠部を介して互いに接続され、前記機構部は、前記一対の外装部材の間に固定されており、
前記開閉操作装置には係止部が設けられるとともに、前記切欠部には前記開閉操作装置の側方への移動を規制するように前記係止部が係止される被係止部が設けられていることを特徴とするドア。
【請求項２】
少なくとも一方の外装部材に前記係止部が設けられていることを特徴とする請求項１に記載のドア。
【請求項３】
少なくとも一方の外装部材には、前記切欠部の形状に沿って形成され該切欠部に嵌合する嵌合突部が設けられていることを特徴とする請求項１または２に記載のドア。
【請求項４】
前記嵌合突部は、一方の外装部材にのみ設けられていることを特徴とする請求項３に記載のドア。
【請求項５】
前記ドア本体は、ガラス板により構成されており、前記切欠部及び前記被係止部の少なくとも角部は丸みを有することを特徴とする請求項１ないし４のいずれかに記載のドア。
【請求項６】
前記被係止部は凹形状を成し、前記係止部は少なくとも角部に丸みを有する凸形状を成すことを特徴とする請求項１ないし５のいずれかに記載のドア。
【請求項７】
前記一対の外装部材の対向面間には、互いに連結可能な固定手段が設けられていることを特徴とする請求項１ないし６のいずれかに記載のドア。
【請求項８】
前記切欠部は、上下に対向する一対の対向面を有しており、前記被係止部は前記一対の対向面に設けられていることを特徴とする請求項１ないし７のいずれかに記載のドア。
【発明の詳細な説明】
【技術分野】
【０００１】
本発明は、ドア本体と開閉操作装置とから成るドアに関する。
【背景技術】
【０００２】
部屋の出入り口に設けられるドアは、ドア枠に対して開閉可能に取付けられた板状のドア本体と、ドア本体に取付けられる開閉操作装置と、を備えたものがある。開閉操作装置は、例えば、ハンドルの操作によりドア枠の凹部に対して進退しドア本体の開閉可能状態と開閉不能状態とを切り換えるラッチや、鍵の操作によりドア枠の凹部に対して進退しドア本体の開閉可能状態と開閉不能状態とを切り換える錠前等がある。
【０００３】
このようなドアとして特許文献１に示されるようなものが知られている。特許文献１のドアは、ガラス板から構成されるドア本体の側縁部に開閉操作装置が取付けられている。この開閉操作装置は、ドア本体の板厚方向両側に配置される一対の外装部材を備え、この一対の外装部材にはハンドルがそれぞれ設けられ、ハンドルの軸部がドア本体の板厚方向に突出している。ドア本体には、ハンドルの軸部と対応する位置に板厚方向に貫通する貫通孔が形成されており、ハンドルの軸部同士が貫通孔を貫通して連結されることで一対の外装部材がドア本体を板厚方向に狭持するように取付けられている。また、一方の外装部材には、ハンドルの操作によりドア本体の側方に進退可能なラッチ（機構部）が設けられており、ハンドルを操作することによりドア枠の凹部に対するラッチの係合状態及び被係合状態を変更できるようになっている。
【先行技術文献】
【特許文献】
【０００４】
【特許文献１】特許第４９５６１６６号公報（第５頁、第３図）
【発明の概要】
【発明が解決しようとする課題】
【０００５】
特許文献１のドアにあっては、ドア本体の貫通孔を利用して開閉操作装置をドア本体の板厚方向及び面方向に抜け出し不能に取付けている。しかしながら、特許文献１のドア装置にあっては、ドア本体の貫通孔を利用して開閉操作装置を取付ける構造であるため、ドア本体の一方の表面に沿って機構部を配置せざるを得ず、開閉操作装置がドア本体の板厚方向の一方に大きく張り出してしまい、見栄えが悪かった。
【０００６】
本発明は、このような問題点に着目してなされたもので、ドア本体に対し開閉操作装置を抜け出し不能に取付けることができるとともに、見栄えのよい薄いドアを提供することを目的とする。
【課題を解決するための手段】
【０００７】
前記課題を解決するために、本発明のドアは、
板状のドア本体と、前記ドア本体の側縁部に板厚方向に狭持して取付けられる一対の外装部材、及び操作により前記ドア本体の側方に係合部を進退させる機構部を有する開閉操作装置と、備えるドアであって、
前記ドア本体は、側方及び板厚方向に開放する切欠部を有し、前記一対の外装部材は、前記切欠部を介して互いに接続され、前記機構部は、前記一対の外装部材の間に固定されており、
前記開閉操作装置には係止部が設けられるとともに、前記切欠部には前記開閉操作装置の側方への移動を規制するように前記係止部が係止される被係止部が設けられていることを特徴としている。
この特徴によれば、切欠部の側方に係合部が進退可能な状態で機構部を切欠部内に配置することができるので、開閉操作装置のドア本体の板厚方向への張り出しを小さくできる。また、開閉操作装置の係止部が切欠部の被係止部に係止されることで開閉操作装置の側方への抜け出しが防止される。
【０００８】
少なくとも一方の外装部材に前記係止部が設けられていることを特徴としている。
この特徴によれば、外装部材に設けられた係止部により開閉操作装置の側方への抜け出しが防止されるので、既存の機構部を利用でき、開閉操作装置を簡素な構造とすることができる。
【０００９】
少なくとも一方の外装部材には、前記切欠部の形状に沿って形成され該切欠部に嵌合する嵌合突部が設けられていることを特徴としている。
この特徴によれば、切欠部に嵌合突部が嵌合することで外装部材を切欠部に対してがたつきなく取付けることができる。
【００１０】
前記嵌合突部は、一方の外装部材にのみ設けられていることを特徴としている。
この特徴によれば、一対の外装部材を切欠部に簡便に且つ精度よく取付けることができる。
【００１１】
前記ドア本体は、ガラス板により構成されており、前記切欠部及び前記被係止部の少なくとも角部は丸みを有することを特徴としている。
この特徴によれば、ガラス板により構成されるドア本体の強度が高い。
【００１２】
前記被係止部は凹形状を成し、前記係止部は少なくとも角部に丸みを有する凸形状を成すことを特徴としている。
この特徴によれば、係止部は少なくとも角部に丸みを有しているため、係止部と被係止部とが接触したときに係止部及び被係止部が破損することを抑制できる。
【００１３】
前記一対の外装部材の対向面間には、互いに連結可能な固定手段が設けられていることを特徴としている。
この特徴によれば、一対の外装部材の対向面間に形成された空間内で一対の外装部材同士を連結できるので、一対の外装部材の板厚方向に固定手段が露見せず見栄えが良い。
【００１４】
前記切欠部は、上下に対向する一対の対向面を有しており、前記被係止部は前記一対の対向面に設けられていることを特徴としている。
この特徴によれば、ドア本体の面に対して開閉操作装置が傾くことを規制できる。
【図面の簡単な説明】
【００１５】
【図１】本発明の実施例１におけるドアを示す正面図である。
【図２】開閉操作装置周辺の構造を示す斜視図である。
【図３】開閉操作装置を示す分解斜視図である。
【図４】（ａ）は前面側の外装部材を正面側から見た斜視図、（ｂ）は同じく背面側から見た斜視図である。
【図５】（ａ）は背面側の外装部材を正面側から見た斜視図、（ｂ）は同じく背面側から見た斜視図である。
【図６】（ａ）はガラス板に一対の外装部材を取付けた状態を示す説明図、（ｂ）は（ａ）の状態からユニット部を取付けた状態を示す説明図である。尚、（ａ）及び（ｂ）はＡ−Ａの位置で切断した断面を示している。
【図７】ドアを右方から見た状態を示す側面図である。
【図８】本発明の実施例２におけるドアの開閉操作装置を示す分解斜視図である。
【図９】本発明の実施例３におけるドアの開閉操作装置を示す分解斜視図である。
【発明を実施するための形態】
【００１６】
本発明に係るドアを実施するための形態を実施例に基づいて以下に説明する。
【実施例１】
【００１７】
実施例１に係るドアにつき、図１から図７を参照して説明する。以下、図１の紙面手前側及び図７の紙面左側をドアの正面側（前方側）とし、正面から見た左右をドアの左右側として説明する。
【００１８】
図１に示されるように、ドア１は、部屋を区画する壁部２の出入り口２Ａに対して開閉可能に取付けられている。本実施例の壁部２は、床面と天井との間に立設する２本の柱３ａ，３ｂと、左側の柱３ａと該柱３ａの左方に配置される部屋の壁面（図示略）との間に配置されるガラス板４ａと、右側の柱３ｂと該柱３ｂの右方に配置される部屋の壁面（図示略）との間に配置されるガラス板４ｂと、柱３ａ，３ｂ間の上部に配置されるガラス板４ｃと、を備えており、柱３ａ，３ｂ、ガラス板４ｃ、及び床面で囲まれた部分が出入り口２Ａとなっている。ドア１は、柱３ａに対してヒンジ５，５を中心により前後方向に回動可能に取付けられている。尚、上記壁部２及び出入り口２Ａの形態は一例であり、自由に変更することができる。
【００１９】
図１及び図２に示されるように、ドア１は、ドア本体を構成する透光性を有するガラス板１０と、ガラス板１０の右端縁部に取付けられドア１の開閉操作を行うための開閉操作装置１１と、から主に構成されている。このように、ドア１及び壁部２は、その大部分に透光性を有するガラス板が用いられているので、解放感を演出して部屋を広くみせることができるようになっている。尚、ドア１及び壁部２に用いられるガラス板は、例えば板厚１０ｍｍ〜１５ｍｍ程度の強化ガラスであり、強度が高くなっている。
【００２０】
次いで、ドア１における開閉操作装置１１の周辺の構造について説明する。図３に示されるように、ガラス板１０の右端縁部には、右方向（側方）及び前後方向（板厚方向）に開放する切欠部１２が形成されている。この切欠部１２は、ガラス板１０の右端面から左方向に略水平に延びる上下一対の水平面１２ａ，１２ｂ（一対の対向面）と、水平面１２ａ，１２ｂの左方に離間して略水平に延びる上下一対の水平面１２ａ’，１２ｂ’（一対の対向面）と、水平面１２ａ’，１２ｂ’の左端部同士を連結するように略垂直に延びる垂直面１２ｃと、を備えている。
【００２１】
水平面１２ａ，１２ｂ及び水平面１２ａ’，１２ｂ’は、平行に延びて対向しており、上側の水平面１２ａ，１２ａ’の間には、上方に円弧状に凹む被係止部としての凹部１３が形成されており、下側の水平面１２ｂ，１２ｂ’の間には、下方に円弧状に凹む被係止部としての凹部１４が形成されている。これら凹部１３，１４は、上下方向に重畳する位置に形成されている。
【００２２】
また、凹部１３と該凹部１３の右方に延びる水平面１２ａとの角部Ｃ１、凹部１３と該凹部１３の左方に延びる水平面１２ａ’との角部Ｃ２はラウンドしている。また、凹部１４と該凹部１４の右方に延びる水平面１２ｂとの角部Ｃ３、凹部１４と該凹部１４の左方に延びる水平面１２ｂ’との角部Ｃ４も同様にラウンドしている。また、水平面１２ａ’と垂直面１２ｃとの角部Ｃ５、及び水平面１２ｂ’と垂直面１２ｃとの角部Ｃ６も同様にラウンドしている。
【００２３】
また、開閉操作装置１１は、ガラス板１０を前後方向から狭持して切欠部１２に取付けられる一対の外装部材１５，１６と、外装部材１５，１６の間に保持される機構部１７と、から主に構成され、機構部１７は、後述するラッチ１７ａを操作する前後一対のハンドル１８Ａ，１８Ｂと、ロック部材１７ｂを操作する前後一対の錠操作部１９Ａ，１９Ｂと、を備えている。
【００２４】
図３及び図４に示されるように、前面側の外装部材１５は、正面視矩形状を成す金属製の板状体から構成されており、後面側を一部切欠き形成した切欠凹部２０が形成されている。切欠凹部２０を構成する内面は、外装部材１５の右端面から左方に略水平方向に延びる第１内面２０ａと、第１内面２０ａの左端から下方に略垂直に延びる第２内面２０ｂと、第２内面２０ｂの下端から左方に略水平方向に延びる第３内面２０ｃと、第３内面２０ｃの左端から下方に略垂直に延びる第４内面２０ｄと、第４内面２０ｄの下端から右方に略水平方向に延びる第５内面２０ｅと、第５内面２０ｅの右端から下方に略垂直に延びる第６内面２０ｆと、第６内面２０ｆの下端から右方に略水平方向に延びる第７内面２０ｇと、から構成されている。第２内面２０ｂ及び第６内面２０ｆには、左方に略水平方向に延びるネジ孔２１が各々形成されている。
【００２５】
また、外装部材１５は、前後方向に貫通する貫通孔２２と、貫通孔２２の左右に形成される小径貫通孔２３，２３と、貫通孔２２よりも上方に形成される大径貫通孔２４が形成されている。詳細は後述するが、貫通孔２２には、ハンドル１８Ｂの回動軸１８ｄが挿通され、小径貫通孔２３，２３には、ハンドル１８Ａの固定ピン１８ｃ，１８ｃが挿通されるようになっており、大径貫通孔２４には、錠操作部１９Ａの中央部が挿通されるようになっている。
【００２６】
図３及び図５に示されるように、背面側の外装部材１６は、金属製であり、正面視矩形状を成す薄板状の板状部２５と、板状部２５の前面側に突出し切欠部１２に嵌合する正面視略コ字状の嵌合突部２６と、を有している。板状部２５には、ハンドル１８Ｂの回動軸１８ｄが挿通される貫通孔２２’と、ハンドル１８Ｂの固定ピン１８ｃ’，１８ｃ’が挿通される小径貫通孔２３’，２３’と、錠操作部１９Ｂの中央部が挿通される大径貫通孔２４’と、が形成されている。
【００２７】
嵌合突部２６は、その外面がガラス板１０の切欠部１２の内面に沿って形成されており、切欠部１２の凹部１３，１４に嵌合する係止部としての凸部２７，２８が形成されている。凸部２７，２８は、凹部１３，１４に沿って円弧状に形成されている。また、嵌合突部２６は、右方に開口する切欠凹部２９が形成されている。切欠凹部２９を構成する内面は、右端面から左方に略水平方向に延びる第１内面２９ａと、第１内面２９ａの左端から下方に略垂直に延びる第２内面２９ｂと、第２内面２９ｂの下端から左方に略水平方向に延びる第３内面２９ｃと、第３内面２９ｃの左端から下方に略垂直に延びる第４内面２９ｄと、第４内面２９ｄの下端から右方に略水平方向に延びる第５内面２９ｅと、第５内面２９ｅの右端から下方に略垂直に延びる第６内面２９ｆと、第６内面２９ｆの下端から右方に略水平方向に延びる第７内面２９ｇと、から構成されている。第２内面２９ｂ及び第６内面２９ｆには、左方に略水平方向に延びるネジ孔３０が各々形成されている。
【００２８】
図３及び図６（ａ）に示されるように、一対の外装部材１５，１６は、嵌合突部２６を切欠部１２に嵌合し、ガラス板１０の前後方向から重ね合わせた状態で接続部材３１，３１により固定されることによりガラス板１０に対して取付けられる。具体的には、接続部材３１は、金属や樹脂により構成されており、左右方向に貫通する挿通孔３１ａ，３１ａが前後方向に離間して形成されており、挿通孔３１ａ，３１ａの間に右端面から左方に延びるネジ孔３１ｂが形成されている。一対の外装部材１５，１６は、接続部材３１の挿通孔３１ａ，３１ａに挿通されたネジＮ１，Ｎ１が、外装部材１５のネジ孔２１と外装部材１６のネジ孔３０とに螺挿されることで前後に連結されている。すなわち、接続部材３１、ネジ孔２１、ネジ孔３０、ネジＮ１，Ｎ１は、一対の外装部材１５，１６を互いに連結する固定手段を構成している。
【００２９】
特に、図６（ａ）に示されるように、一対の外装部材１５，１６をガラス板１０に取付けた状態にあっては、外装部材１５の外縁部及び外装部材１６の外縁部がガラス板１０の前後面に接触するので一対の外装部材１５，１６の前後方向の移動が規制されている。また、外装部材１６の嵌合突部２６が切欠部１２に嵌合するので一対の外装部材１５，１６の上下方向の移動が規制されるとともに、凸部２７，２８が切欠部１２の凹部１３，１４に嵌合するので一対の外装部材１５，１６の右方への抜け出しが規制されている。また、一対の外装部材１５，１６をガラス板１０に取付けた状態にあっては、切欠凹部２９により右方に開放する空間Ｓが一対の外装部材１５，１６の間に形成される。この空間Ｓには、機構部１７の本体部３２が配置される。
【００３０】
図３に示されるように、機構部１７は、係合部であるラッチ１７ａの一部、図示しないラッチ１７ａの駆動部、係合部であるロック部材１７ｂの一部及び図示しないロック部材を駆動するシリンダーを内蔵する本体部３２と、ハンドル１８Ａ，１８Ｂと、錠操作部１９Ａ，１９Ｂと、を備えている。本体部３２は、正面視矩形状の箱型形状を成し、ハンドル１８Ａ，１８Ｂの固定ピン１８ｃ，１８ｃ’が前後から挿通される小径貫通孔３３，３３と、ハンドル１８Ｂの回動軸１８ｄが後方から挿通される貫通孔３４と、錠操作部１９Ａ，１９Ｂの中央部が前後から挿通される大径貫通孔３５と、が形成されており、本体部３２の右端面には、該本体部３２よりも上下方向に長い板部材３６が固定されている。この板部材３６には、ネジＮ２を挿通可能な挿通孔３６ａ，３６ａと、ラッチ１７ａ及びロック部材１７ｂを挿通可能な孔と、が左右方向に貫通して形成されている。本実施例における本体部３２の前後幅は、ガラス板１０の板厚よりも厚く形成されている。尚、本体部３２の前後幅は、ガラス板１０の板厚よりも厚く形成されることに限られず、ガラス板１０の板厚と同等、またはガラス板１０の板厚よりも薄く形成されていてもよい。
【００３１】
図３及び図６に示されるように、本体部３２は、空間Ｓに対して右方から挿入され、板部材３６の挿通孔３６ａ，３６ａに挿通されたネジＮ２，Ｎ２が、接続部材３１，３１のネジ孔３１ｂ，３１ｂに螺挿されることで外装部材１５，１６に固定される。本体部３２が外装部材１５，１６に固定された状態にあっては、板部材３６の右端面とガラス板１０の右端面とが上下方向に沿って平坦に連なるように配置される。
【００３２】
図３に戻って、ハンドル１８Ａは、外装部材１５に対して回転不能に取付けられる固定部１８ａと、固定部１８ａに対して回動可能に取付けられる把持部１８ｂと、を備え、固定部１８ａから後方に向けて固定ピン１８ｃ，１８ｃが延設されている。この固定ピン１８ｃ，１８ｃは筒状を成している。また、ハンドル１８Ｂは、外装部材１６に対して回転不能に取付けられる固定部１８ａ’と、固定部１８ａ’に対して回動可能に取付けられる把持部１８ｂ’と、を備え、固定部１８ａ’から後方に向けて固定ピン１８ｃ’，１８ｃ’が延設されているとともに、把持部１８ｂ’から固定部１８ａ’を貫通して回動軸１８ｄが前方に延設されている。この固定ピン１８ｃ’，１８ｃ’は、固定ピン１８ｃ，１８ｃに挿嵌可能な中実の棒状に形成されている。
【００３３】
ハンドル１８Ａ，１８Ｂは、本体部３２を外装部材１５，１６に固定した状態で、固定ピン１８ｃ，１８ｃ’を小径貫通孔２３，２３’及び小径貫通孔３３に挿通し、固定ピン１８ｃ内に固定ピン１８ｃ’を挿嵌して連結するとともに、回動軸１８ｄを貫通孔２２’、貫通孔３４、貫通孔２２に挿通して把持部１８ｂの図示しない嵌合凹部に連結することにより外装部材１５，１６に取付けられる。
【００３４】
ハンドル１８Ａ，１８Ｂの把持部１８ｂ，１８ｂ’の非操作時には、本体部３２内の駆動部（図示略）によりラッチ１７ａが本体部３２よりも右方に突出した状態となっており、柱３ｂに設けられた凹部（図示略）に係合可能となっている。また、把持部１８ｂ，１８ｂ’の回動操作時には、回動軸１８ｄが前記駆動部と連動してラッチ１７ａが本体部３２内（左方）に退避するようになっており、前記凹部との係合状態を解除できるようになっている。
【００３５】
また、錠操作部１９Ａ，１９Ｂは、シリンダー式の錠であり、錠操作部１９Ａには鍵穴が形成されており、錠操作部１９Ｂにはサムターンが設けられている。錠操作部１９Ａ，１９Ｂは、これらの中央部を大径貫通孔２４，２４’及び大径貫通孔３５に挿通させて連結することにより外装部材１５，１６に取付けられる。
【００３６】
ロック部材１７ｂは、錠操作部１９Ａ，１９Ｂを操作することにより、本体部３２内のシリンダーが連動して、本体部３２の右方に突出した状態と、本体部３２内に退避した状態とに変更可能となっている。ロック部材１７ｂが突出した状態にあっては、柱３ｂに設けられた受座（図示略）に係合可能となっており、ロック部材１７ｂが退避した状態にあっては、前記受座との係合状態を解除できるようになっている。
【００３７】
図７に示されるように、ガラス板１０に開閉操作装置１１が取付けられた状態にあっては、外装部材１６における板状部２５の前面がガラス板１０の後面に沿って上下方向に平坦に連なるように配置されるため、本体部３２は前面側（外装部材１５側）に寄せて配置される。したがって、開閉操作装置１１のガラス板１０の後面側への張り出し寸法Ｌ１は、ガラス板１０の前面側への張り出し寸法Ｌ２よりも小さくなっている。
【００３８】
以上、説明したように、ガラス板１０は、右方及び前後方向に開放する切欠部１２を有し、一対の外装部材１５，１６は、切欠部１２を介して互いに接続され、機構部１７は、一対の外装部材１５，１６の間に固定されており、開閉操作装置１１には凸部２７，２８が設けられるとともに、切欠部１２には開閉操作装置１１の右方への移動を規制するように凸部２７，２８が係止される凹部１３，１４が設けられている。これによれば、切欠部１２が右方に開放しているので機構部１７を切欠部１２内に配置した状態でガラス板１０の右側端面に近付けることができ、開閉操作装置１１のガラス板１０の前後方向への張り出しを小さくできる。また、一対の外装部材１５，１６の外縁部がガラス板１０の前後に係止されることで開閉操作装置１１の前後方向への抜け出しが防止され、開閉操作装置１１の凸部２７，２８が切欠部１２の凹部１３，１４に係止されることで開閉操作装置１１の右方への抜け出しが防止される。
【００３９】
また、一対の外装部材１５，１６のうち、一方の外装部材１６に凸部２７，２８が設けられている。このように、外装部材１６に凸部２７，２８が設けられているので、機構部１７に係止部を設けなくても開閉操作装置１１の右方への抜け出しを防止することができる。これによれば、既存の機構部１７を利用でき、開閉操作装置１１を簡素な構造とすることができる。
【００４０】
また、一方の外装部材１６には、切欠部１２の形状に沿って形成され該切欠部１２に嵌合する嵌合突部２６が設けられているので、嵌合突部２６を切欠部１２に嵌合させることで、外装部材１６を切欠部１２に対してがたつきなく取付けることができる。具体的には、正面視コ字状を成す嵌合突部２６の上面及び下面が、切欠部１２における水平面１２ａ，１２ａ’及び水平面１２ｂ，１２ｂ’に接触するので外装部材１６の上下方向の移動が規制される。また、嵌合突部２６の左端面が、切欠部１２における垂直面１２ｃに接触するので外装部材１６の左方への移動が規制される。
【００４１】
また、嵌合突部２６は、一方の外装部材１６にのみ設けられており、嵌合突部２６を切欠部１２に嵌合させて位置決めした一方の外装部材１６に対して他方の外装部材１５を固定することができるので、一対の外装部材１５，１６を切欠部１２に対して簡便に且つ精度よく取付けることができる。
【００４２】
また、ガラス板１０における切欠部１２及び凹部１３，１４は丸みを有している。具体的には、凹部１３と水平面１２ａとの角部Ｃ１、凹部１３と水平面１２ａ’との角部Ｃ２、凹部１４と水平面１２ｂとの角部Ｃ３、凹部１４と水平面１２ｂ’との角部Ｃ４、水平面１２ａ’と垂直面１２ｃとの角部Ｃ５、水平面１２ｂ’と垂直面１２ｃとの角部Ｃ６がラウンドして形成されている。また、凹部１３，１４は、円弧状に形成されている。これによれば、意図しない外力や熱膨張によりガラス板１０に生じる応力が切欠部１２の角部Ｃ１〜Ｃ６や凹部１３，１４に集中することを回避できるので、ガラス板１０の強度が向上する。
【００４３】
また、外装部材１６の凸部２７，２８は丸みを有しているため、凸部２７，２８と凹部１３，１４とが接触したときに凸部２７，２８及び凹部１３，１４が破損することを抑制できる。
【００４４】
また、一対の外装部材１５，１６の対向面間には、接続部材３１、ネジ孔２１、ネジ孔３０、ネジＮ１，Ｎ１が設けられている。具体的には、一対の外装部材１５，１６の間に形成される空間Ｓは、右方に開放しており、その開口から接続部材３１，３１を空間Ｓ内に挿入し、挿通孔３１ａ，３１ａを介してネジＮ１，Ｎ１を外装部材１５，１６のネジ孔２１，３０に螺挿することで一対の外装部材１５，１６が前後に連結されるようになっている。このように、固定手段としての接続部材３１、ネジ孔２１、ネジ孔３０、ネジＮ１，Ｎ１が外装部材１５，１６の空間Ｓ内に配置され外部に露見しないので見栄えが良い。また、ネジＮ１，Ｎ１を空間Ｓの右方から挿入するため、ネジＮ１，Ｎ１のネジ止め作業がしやすい。
【００４５】
また、切欠部１２は、上下に対向する一対の水平面１２ａ，１２ｂ及び水平面１２ａ’，１２ｂ’を有しており、凹部１３，１４は水平面１２ａ，１２ａ’の間、水平面１２ｂ，１２ｂ’の間に設けられている。これによれば、ガラス板１０の面に対して開閉操作装置１１が傾くことを規制できる。
【００４６】
また、一対の外装部材１５，１６をガラス板１０に固定した後、一対の外装部材１５，１６の間の空間Ｓに対して右方の開口から本体部３２を取付けるため、本体部３２を精度よく、且つ簡単に取付けることができる。
【００４７】
尚、本実施例では、機構部１７の本体部３２がラッチ１７ａ及びロック部材１７ｂを備える形態について説明したが、本体部３２には、いずれか一方が設けられていればよい。また、ハンドル１８Ａ，１８Ｂ及び錠操作部１９Ａ，１９Ｂも本体部３２に設けられるラッチ１７ａ及びロック部材１７ｂに合わせて設けられればよい。また、ラッチ１７ａまたはロック部材１７ｂに限られず、所定の操作によりドア本体の側方に進退可能であり、ドア枠と係合可能な係合手段であれば自由に変更してもよい。また、係合手段を操作する操作手段も自由に変更してもよい。
【００４８】
また、本実施例では、ガラス板１０の右縁部に開閉操作装置１１が設けられる形態を例示したが、ガラス板１０の左縁部、上縁部、または下縁部に開閉操作装置１１が設けられてもよい。この場合、切欠部が対向するドア枠に開放するように切欠き形成される。
【００４９】
また、本実施例では、一対の外装部材１５，１６を固定した後、外装部材１５，１６間の空間Ｓに本体部３２が固定される形態を例示したが、外装部材１５，１６同士を固定する固定力を用いて本体部３２を狭持することで外装部材１５，１６に本体部３２を固定するようになっていてもよい。また、外装部材１５，１６が本体部３２を介して固定されるようになっていてもよい。
【００５０】
また、本実施例では、外装部材１６に係止部としての凸部２７，２８が設けられていたが、これに限られず、切欠部の被係止部である凹部１３，１４に対して係止される係止部が機構部１７（本体部３２）に形成されていてもよい。
【００５１】
また、本実施例では、嵌合突部２６が外装部材１６にのみ設けられる形態を例示したが、これに限られず、外装部材１５，１６の両方に嵌合突部２６が設けられていてもよい。
【００５２】
また、本実施例では、一対の外装部材１５，１６が接続部材３１，３１により接続される形態を例示したが、一対の外装部材の対向面間に板厚方向に重畳する部分を設け、該重畳した部分を右方からネジ等により固定するようになっていてもよい。
【００５３】
また、本実施例では、切欠部１２の上下一対の水平面１２ａ，１２ｂに被係合部としての凹部１３，１４が設けられ、外装部材１６に凹部１３，１４に嵌合する係合部としての凸部２７，２８が設けられる形態を例示したが、上下いずれか一方に係合部及び被係合部が設けられていてもよい。また、係合部及び被係合部は上下に形成されることに限られず、例えば、切欠部１２の垂直面１２ｃに鉤状の被係合部を形成し、外装部材１６の嵌合突部２６に鉤状の係合部を形成してもよい。
【実施例２】
【００５４】
次に、実施例２に係るドアにつき、図８を参照して説明する。尚、前記実施例と同一構成で重複する構成の説明を省略する。尚、図８では、ハンドル１８Ａ，１８Ｂ及び錠操作部１９Ａ，１９Ｂの構成の図示を省略する。
【００５５】
図８に示されるように、本実施例２のドア１００は、ガラス板１０１の右端縁部に切欠部１２１が形成されている。切欠部１２１は、上下一対の上面１２１ａ及び下面１２１ｂ（一対の対向面）がガラス板１０１の右端面に向けてその上下幅が狭くなるように延びている。また、外装部材１６１の嵌合突部２６１は、その外面が切欠部１２１の内面に沿って形成されている。具体的には、外装部材１６１の嵌合突部２６１の上面２６１ａ及び下面２６１ｂが右方に向けてその上下幅が狭くなるように延びている。したがって、外装部材１６１の嵌合突部２６１を切欠部１２１に嵌合させると、外装部材１６１の上面２６１ａ及び下面２６１ｂが切欠部１２１の上面１２１ａ及び下面１２１ｂに係止され、外装部材１６１の右方への移動が規制される。
【００５６】
このように、係止部及び被係止部は、前記実施例１のように凸部２７，２８及び凹部１３，１４に限られず、外装部材の切欠部からの抜け出しが防止されるものであれば自由に変更することができる。尚、嵌合突部２６１が上下左右等、ガラス板１０１の面方向への移動を規制するように切欠部１２１に対して嵌合されることが好ましい。
【実施例３】
【００５７】
次に、実施例３に係るドアにつき、図９を参照して説明する。尚、前記実施例１と同一構成で重複する構成の説明を省略する。尚、図９では、ハンドル１８Ａ，１８Ｂ及び錠操作部１９Ａ，１９Ｂの構成の図示を省略する。
【００５８】
図９に示されるように、本実施例３のドア１１０は、ガラス板１０２の右端縁部に切欠部１２２が形成されている。切欠部１２２は、上側の水平面１２２ａに被係止部としての凸部１３１が下方に向けて円弧状に突出して形成されているとともに、下側の水平面１２２ｂに被係止部としての凸部１４１が上方に向けて円弧状に突出して形成されている。
【００５９】
また、外装部材１６２の嵌合突部２６２は、その外面が切欠部１２２の内面に沿って形成されている。具体的には、外装部材１６２の嵌合突部２６２の上面２６２ａに係止部としての凹部２７１が下方に凹んで円弧状に形成されており、嵌合突部２６２の下面２６２ｂに係止部としての凹部２８１が上方に凹んで円弧状に形成されている。したがって、外装部材１６２の嵌合突部２６２を切欠部１２２に嵌合させると、嵌合突部２６２の凹部２７１，２８１が切欠部１２２の凸部１３１，１４１に嵌合され、外装部材１６２の右方への移動が規制される。
【００６０】
以上、本発明の実施例を図面により説明してきたが、具体的な構成はこれら実施例に限られるものではなく、本発明の要旨を逸脱しない範囲における変更や追加があっても本発明に含まれる。
【００６１】
例えば、前記実施例では、ドア本体がガラス板１０で構成される形態を例示したが、鉄や木材、樹脂等で構成されてもよく、透光性を有していなくてもよい。
【００６２】
また、前記実施例では、ドア本体としてのガラス板１０がヒンジ５，５により回動可能に取付けられている形態を例示したが、ドア本体は、左右方向にスライドする引き戸であってもよい。
【符号の説明】
【００６３】
１                ドア
１０              ガラス板（ドア本体）
１１              開閉操作装置
１２              切欠部
１２ａ，１２ｂ    水平面（対向面）
１３，１４        凹部（被係止部）
１５，１６        外装部材
１７              機構部
１７ａ            ラッチ
１７ｂ            ロック部材
１８Ａ，１８Ｂ    ハンドル
１９Ａ，１９Ｂ    錠操作部
２６              嵌合突部
２７，２８        凸部（係止部）
３１              接続部材（固定手段）
３２              ユニット部
１００            ドア
１０１，１０２    ガラス板（ドア本体）
１１０            ドア
１２１            切欠部
１２１ａ          上面（被係止部）
１２１ｂ          下面（被係止部）
１２２            切欠部
１２２ａ，１２２ｂ  水平面（対向面）
１３１，１４１    凸部（被係止部）
１６１，１６２    外装部材
２６１            嵌合突部
２６１ａ          上面（係止部）
２６１ｂ          下面（係止部）
２６２            嵌合突部
２７１，２８１    凹部（被係止部）
Ｃ１〜Ｃ６        角部
Ｎ１，Ｎ２        ネジ
Ｓ                空間
【図１】
2020200697.tif 000003
【図２】
2020200697.tif 000004
【図３】
2020200697.tif 000005
【図４】
2020200697.tif 000006
【図５】
2020200697.tif 000007
【図６】
2020200697.tif 000008
【図７】
2020200697.tif 000009
【図８】
2020200697.tif 000010
【図９】
2020200697.tif 000011